Podtech/llm-jp-corpus-v4-ja_patent huggingface dataset:
【手続補正書】
【提出日】平成23年8月23日(2011.8.23)
【手続補正１】
【補正対象書類名】明細書
【補正対象項目名】００６４
【補正方法】変更
【補正の内容】
【００６４】
（実施例２の効果）
本実施例２によれば、除電装置３１Ａの導光体３２Ｄが光源３９より小さい導光路を有する場合であっても、光源３９から出射された光はより効率的に除電装置３１Ａに入射させることができる。これにより、光源３９の光量のばらつきや、経時での光量の減衰を吸収することができ、より安定的に感光体１への除電が可能となる。
【手続補正２】
【補正対象書類名】特許請求の範囲
【補正対象項目名】請求項７
【補正方法】変更
【補正の内容】
【請求項７】
前記導光体の端面には、前記光をこの端面に入射する入射面が形成されており、
前記入射面には、前記入射面に向けて前記光を出射する前記発光部材が対向して配置されていることを特徴とする請求項１〜６のいずれか１項に記載の除電装置。
【手続補正３】
【補正対象書類名】特許請求の範囲
【補正対象項目名】請求項１１
【補正方法】変更
【補正の内容】
【請求項１１】
前記導光体は、この前記光を入射する入射面の大きさが、前記発光部材における前記光を出射する出射面の大きさ以上であることを特徴とする請求項１〜９のいずれか１項に記載の除電装置。
【手続補正４】
【補正対象書類名】特許請求の範囲
【補正対象項目名】請求項１３
【補正方法】変更
【補正の内容】
【請求項１３】
被除電部材を除電する除電装置と、
前記除電装置の前記被除電部材である感光体と、
前記感光体と接触して配置され、前記感光体の表面を帯電させる帯電部材と、
前記感光体と接触して配置され、前記感光体の表面をクリーニングするクリーニング部材と、を備え、
前記除電装置によって除電された前記感光体に、静電潜像を形成して現像する現像装置であって、
前記除電装置は、
長手方向に所定の長さを有する前記被除電部材を除電するために光を出射する発光部材と、
前記被除電部材に対向して配置され、前記発光部材から出射された光を入射して導き、前記被除電部材に光を照射する導光体と、を備え、
前記導光体は、導かれた光を前記被除電部材へ反射する複数の反射部を有し、前記反射部は前記被除電部材の長手方向にジグザグに形成されていることを特徴とする現像装置。
【手続補正５】
【補正対象書類名】特許請求の範囲
【補正対象項目名】請求項１５
【補正方法】変更
【補正の内容】
【請求項１５】
被除電部材を除電する除電装置と、前記除電装置の前記被除電部材である感光体と、前記感光体と接触して配置され、前記感光体の表面を帯電させる帯電部材と、前記感光体と接触して配置され、前記感光体の表面をクリーニングするクリーニング部材と、を有し、前記除電装置によって除電された前記感光体に、静電潜像を形成して現像する現像装置を備え、
前記現像装置により現像された感光体上のトナー像を転写して画像を形成する画像形成装置であって、
前記除電装置は、
長手方向に所定の長さを有する前記被除電部材を除電するために光を出射する発光部材と、
前記被除電部材に対向して配置され、前記発光部材から出射された光を入射して導き、前記被除電部材に光を照射する導光体と、を備え、
前記導光体は、導かれた光を前記被除電部材へ反射する複数の反射部を有し、前記反射部は前記被除電部材の長手方向にジグザグに形成されていることを特徴とする画像形成装置。
【手続補正書】
【提出日】平成23年7月11日(2011.7.11)
【手続補正１】
【補正対象書類名】明細書
【補正対象項目名】００１８
【補正方法】変更
【補正の内容】
【００１８】
こうして、空気吹出口１３は、長辺外側壁１４と左右短辺側壁１６、１７の３面が断熱空間部を有する二重壁によって構成され、長辺内側壁１５が発泡樹脂成形部材によって構成されており、さらに、空気調和機の本体１と化粧パネル１０との間には空気吹出口１３の輪郭に沿って空気吹出口１３を取り囲むようにしてシール材２２が設けられており、吸込側と吹出側とを確実に気密分離している。
【手続補正２】
【補正対象書類名】特許請求の範囲
【補正対象項目名】全文
【補正方法】変更
【補正の内容】
【特許請求の範囲】
【請求項１】
空気の吸込口と吹出口とを有する化粧パネルが、送風機、熱交換器を備えた空気調和機本体の下面に取りはずし可能に装着された天井埋込形空気調和機であって、
前記吹出口がほぼ矩形状に形成され、該吹出口の長手方向の両側に対向して前記化粧パネルと一体に短辺側壁が設けられ、該短辺側壁に前記吹出口から吹き出した空気と室内巻き込み空気との流れを偏向する流れ偏向手段を設けたことを特徴とする天井埋込形空気調和機。
【請求項２】
前記流れ偏向手段を、短辺側壁の吹出口側の側面に、該短辺側壁が設けられた化粧パネルの下面よりも上方に段あげして設けた段差部によって形成したことを特徴とする請求項１記載の天井埋込形空気調和機。
【請求項３】
前記短辺側壁は内側壁と外側壁とにより断熱空間部を有する二層構造壁に形成され、前記外側壁は前記化粧パネルの下面より上方において前記内側壁から前記吹出し口側に分岐し二股状に形成され、該二股状の二層構造壁の分岐部の底面により前記段差部を形成したことを特徴とする請求項２記載の天井埋込形空気調和機。
【請求項４】
前記段差部の吹出口側の角部を湾曲させて湾曲面を形成したことを特徴とする請求項２または３記載の天井埋込形空気調和機。
【請求項５】
前記段差部の底面を湾曲面側に向かって上方傾斜するように形成したことを特徴とする請求項４記載の天井埋込形空気調和機。
【請求項６】
前記吹出口の周囲がシール材によって本体にシールされ、該シール材の台座部が前記化粧パネルと一体成形した少なくとも短辺側壁の二層構造壁によって形成されたことを特徴とする請求項３〜５のいずれかに記載の天井埋込形空気調和機。
【手続補正書】
【提出日】平成23年8月9日(2011.8.9)
【手続補正１】
【補正対象書類名】明細書
【補正対象項目名】０００６
【補正方法】変更
【補正の内容】
【０００６】
この発明に係る空気調和機の室内機は、空気調和機の室内機本体と、この室内機本体に収容される可動又は脱着可能な部品と、この可動又は脱着可能な部品の近傍に配置され、金型加工によって製造された台座と、を備え、台座には、室内機本体の清掃、修理時における可動または脱着可能な部品の解体・取付けの作業手順、方法を表す記号が表示され、記号の形を構成する複数の側壁の内、ユーザーの視線と交差し、かつ視線と対向しない側壁の抜き勾配がそれ以外の側壁の抜き勾配よりも大きく設定されているものである。
【手続補正２】
【補正対象書類名】特許請求の範囲
【補正対象項目名】全文
【補正方法】変更
【補正の内容】
【特許請求の範囲】
【請求項１】
空気調和機の室内機本体と、
この室内機本体に収容される可動又は脱着可能な部品と、
この可動又は脱着可能な部品の近傍に配置され、金型加工によって製造された台座と、
を備え、
前記台座には、前記室内機本体の清掃、修理時における前記可動または脱着可能な部品の解体・取付けの作業手順、方法を表す記号が表示され、前記記号の形を構成する複数の側壁の内、ユーザーの視線と交差し、かつ視線と対向しない側壁の抜き勾配がそれ以外の側壁の抜き勾配よりも大きく設定されていることを特徴とする空気調和機の室内機。
【請求項２】
前記記号のユーザーの視線と交差し、かつ視線と対向しない側壁の根本に溝を形成したことを特徴とする請求項１に記載の空気調和機の室内機。
【請求項３】
前記記号は可動又は脱着方向などの作業方法を示した矢印であることを特徴とする請求項１または請求項２に記載の空気調和機の室内機。
【請求項４】
前記記号は前記可動又は脱着な部品の作業手順を表す数字などの記号であることを特徴とする請求項１または請求項２に記載の空気調和機の室内機。
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
複数の充電池と、
熱源と、
上記複数の充電池と上記熱源との位置関係に基づいて上記複数の充電池を循環的に選択し、選択した充電池から機器内の負荷に電力を供給させる電源制御手段と
を具備したことを特徴とする電子機器。
【請求項２】
上記電源制御手段は、より上記熱源に近い充電池の連続駆動時間が上記熱源から遠い充電池の連続駆動時間より短くなるように複数の充電池から機器内の負荷に電力を供給させることを特徴とする請求項１記載の電子機器。
【請求項３】
上記複数の充電池それぞれの温度を検出する検出手段
をさらに備え、
上記電源制御手段は、上記検出手段で検出した温度に応じて上記複数の充電池を循環的に選択し、選択した充電池から機器内の負荷に電力を供給させることを特徴とする請求項１又は２記載の電子機器。
【請求項４】
上記電源制御手段は、より温度の高い充電池の連続駆動時間が低い温度の充電池の連続駆動時間より短くなるように上記複数の充電池を循環的に選択し、選択した充電池から機器内の負荷に電力を供給させることを特徴とする請求項３記載の電子機器。
【請求項５】
上記検出手段は、上記複数の充電池それぞれの残容量をさらに検出し、
上記電源制御手段は、上記検出手段で検出した検出結果に応じて上記複数の充電池を循環的に選択し、選択した充電池から機器内の負荷に電力を供給させることを特徴とする請求項１〜４の何れか記載の電子機器。
【手続補正２】
【補正対象書類名】明細書
【補正対象項目名】発明の名称
【補正方法】変更
【補正の内容】
【発明の名称】電子機器
【手続補正３】
【補正対象書類名】明細書
【補正対象項目名】０００１
【補正方法】変更
【補正の内容】
【０００１】
本発明は、高熱を発する熱源を有する電池電源のプロジェクタ装置などに好適な電子機器に関する。
【手続補正４】
【補正対象書類名】明細書
【補正対象項目名】０００６
【補正方法】変更
【補正の内容】
【０００６】
本発明は上記のような実情に鑑みてなされたもので、その目的とするところは、電源となる充電池の長寿命化を図ることが可能な電子機器を提供することにある。
【手続補正５】
【補正対象書類名】明細書
【補正対象項目名】０００７
【補正方法】変更
【補正の内容】
【０００７】
請求項１記載の発明は、電子機器であって、複数の充電池と、熱源と、上記複数の充電池と上記熱源との位置関係に基づいて上記複数の充電池を循環的に選択し、選択した充電池から機器内の負荷に電力を供給させる電源制御手段とを具備したことを特徴とする。
【手続補正６】
【補正対象書類名】明細書
【補正対象項目名】０００８
【補正方法】変更
【補正の内容】
【０００８】
請求項２記載の発明は、上記請求項１記載の発明において、上記電源制御手段は、より上記熱源に近い充電池の連続駆動時間が上記熱源から遠い充電池の連続駆動時間より短くなるように複数の充電池から機器内の負荷に電力を供給させることを特徴とする。
請求項３記載の発明は、上記請求項１又は２記載の発明において、上記複数の充電池それぞれの温度を検出する検出手段をさらに備え、上記電源制御手段は、上記検出手段で検出した温度に応じて上記複数の充電池を循環的に選択し、選択した充電池から機器内の負荷に電力を供給させることを特徴とする。
請求項４記載の発明は、上記請求項３記載の発明において、上記電源制御手段は、より温度の高い充電池の連続駆動時間が低い温度の充電池の連続駆動時間より短くなるように上記複数の充電池を循環的に選択し、選択した充電池から機器内の負荷に電力を供給させることを特徴とする。
請求項５記載の発明は、上記請求項１〜４の何れか記載の発明において、上記検出手段は、上記複数の充電池それぞれの残容量をさらに検出し、上記電源制御手段は、上記検出手段で検出した検出結果に応じて上記複数の充電池を循環的に選択し、選択した充電池から機器内の負荷に電力を供給させることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明によれば、電源となる充電池の長寿命化を図ることが可能となる。
【手続補正書】
【提出日】平成23年10月12日(2011.10.12)
【手続補正１】
【補正対象書類名】明細書
【補正対象項目名】００１５
【補正方法】変更
【補正の内容】
【００１５】
（ミシンモータ制御装置の全体的な構成）
図１は本発明の実施形態たるミシンのモータ制御装置１０を搭載したミシン１００の斜視図、図２はその構成を示すブロック図である。
かかるミシン１００は多針のロックミシンであり、図１及び図２に示すように、縫い針の上下動の駆動源となるミシンモータ１１と、ミシンモータ１１を動力として縫い針の上下動と布送りとルーパ駆動などを行う図示しない機構部と、各縫い針に糸通しを行う図示しない糸通し装置と、縫製時にはコントローラ１８からの入力に応じてミシンモータ１１の速度制御を行い、非縫製時には糸通しの実行に際して後述する主軸１４が所定の停針位相にない場合でも停針位相となるように停針制御を行うためのミシンモータ制御装置１０とを備えている。
さらに、ミシン１００は、ミシンモータ１１により回転駆動される主軸１４と、主軸１４と共に回転し、外部から操作可能なはずみ車１５とを備え、ミシンモータ制御装置１０は、主軸回転速度150〜1800[rpm]の間での運針の速度を設定する速度設定機能と踏み込み解除状態で停止を指示する信号を発する停止操作機能とを有する操作手段としてのコントローラ１８と、主軸１４の角度変化量を検出する角度変化検出手段としてのエンコーダ１２と、主軸１４の一周における所定の位相（後述）を検出する主軸検出手段としての主軸主検出センサ１３及び主軸副検出センサ１６と、前述した糸通し装置の実行操作を検出する糸通しレバー操作検出センサ１７と、ミシンモータ１１の動作制御を行う制御回路２０を備えている。
【手続補正２】
【補正対象書類名】明細書
【補正対象項目名】００１６
【補正方法】変更
【補正の内容】
【００１６】
（糸通し装置）
図示しない糸通し装置は、縫い針の目穴に向かって往復進退動作を行い、目穴への侵入時に縫い針の前面に保持された縫い糸を係止し、後退時に係止した縫い糸を目穴に引き込む糸通しフックと、糸通しフックに進退動作を付与する動作機構と、糸通しフックを各縫い針の目穴に対応する位置に位置決めする位置決め機構とからなり、動作機構は、手動により糸通し動作を付与する糸通しレバーを備えている。そして、糸通しレバーには前述した糸通しレバー操作検出センサ１７が併設されており、当該センサ１７は糸通しレバーへの入力操作の開始時点で当該操作入力を検出する。糸通しレバー操作検出センサ１７には、例えば、マイクロスイッチ等が使用される。
【手続補正３】
【補正対象書類名】明細書
【補正対象項目名】００２９
【補正方法】変更
【補正の内容】
【００２９】
（入力インターフェイス）
上記入力インターフェイス２１は、エンコーダ１２，主軸主検出センサ１３，主軸副検出センサ１６，コントローラ１８及び糸通しレバー操作検出センサ１７からの入力信号をＣＰＵ４６に伝達するためのものである。
図５は制御回路２０とその制御に関連する構成を含む機能ブロック図である。図５に示すように、入力インターフェイス２１内には、エンコーダ１２からの出力のカウントを行う構成部として、パルス信号をカウントするパルスカウンタ２２を備えている。
かかるパルスカウンタ２２は、処理部４０に対して所定期間のパルス信号の受信数をカウントし、出力する。
【手続補正４】
【補正対象書類名】明細書
【補正対象項目名】００４０
【補正方法】変更
【補正の内容】
【００４０】
（モータ制御装置における停針制御）
図６〜図８はモータ制御装置１０の処理部４０が行う停針制御を示すフローチャートである。
まずは、図６に示すように、糸通しレバー操作検出センサ１７により糸通しレバーの操作開始が検出されると、回転制御停止部４３は、現在の主軸角度の位置を識別する主軸位相判定部４５から識別結果を受信し、現在の主軸１４は状態(4)[OFF-OFF]（図４（Ｄ）又は（Ｆ））であるか判定する（ステップＳ１）。
その結果、主軸角度が状態(4)である場合には、回転制御停止部４３は、制御演算部４２を通じて、ミシンモータ１１を逆回転の低速（55[rpm]）で起動する（ステップＳ２）。
ミシンモータ１１の駆動と共にエンコーダ１２の出力のカウントを開始して（ステップＳ３）、カウント値が主軸角度10°分に達したか否かを判定する（ステップＳ４）。
かかる判定において、10°に達していないときには、回転制御停止部４３は、状態(3)[OFF-ON]（図４（Ｅ））に変化したか判定し（ステップＳ５）、状態(3)に変化した場合には主軸角度が第五の範囲Ｈ５に到達したものとして処理をステップＳ１３に進める。
また、状態(3)に変化していない場合には、回転制御停止部４３は、状態(2)[ON-OFF]に変化したか判定し（ステップＳ６）、変化していない場合には、ステップＳ４に処理を戻して、主軸角度が状態(4)のままでエンコーダ１２が10°分のパルス出力をしたかを判定する。
また、ステップＳ６において、状態(2)に変化した場合には、主軸角度が第六の範囲Ｈ６（停止位相）から第一の範囲Ｈ１に移動したものとして、一旦ステッピングモータ１１を停止させ（ステップＳ７）、回転を低速順回転に切り換える（ステップＳ８）。そして、状態(4)に戻るのを待つと共に（ステップＳ９）、状態(4)となった時点で主軸角度が第六の範囲Ｈ６に到達したことを意味するので、ミシンモータ１１を通電停止により停止させる（ステップＳ１０）。
【手続補正５】
【補正対象書類名】明細書
【補正対象項目名】００４７
【補正方法】変更
【補正の内容】
【００４７】
また、モータ制御装置１０では、主軸角度範囲を五以上である六つに分けているので、主軸センサを二つ使用すると、通常は主軸角度範囲を偶数に分けなければならないという事情に対応することが可能となる。つまり、各センサ１３，１６は遮蔽と非遮蔽の二領域をONとOFFとで識別するので単独で偶数の領域を識別可能とする。そして、これらを重合させて使用すると、それらの合計値である偶数の領域が識別可能となる。かかる重合使用において、奇数領域を識別しようとすると、二つのセンサ１３，１６について遮蔽領域と非遮蔽領域の境界を同一角度に精度良く一致させなければならず、遮蔽板の取り付け精度が非常に高く要求されることとなり、装置のコスト上昇、生産性の低下を招いてしまう。
そこで、主軸角度範囲を偶数である六つとして、これらを全て識別可能とすることにより、センサ１３，１６について遮蔽板の取り付け精度を低減させることを可能とし、装置のコスト低減、生産性の向上を図っている。
【手続補正６】
【補正対象書類名】図面
【補正対象項目名】図２
【補正方法】変更
【補正の内容】
【図２】
2010088788.tif 000001
【手続補正７】
【補正対象書類名】図面
【補正対象項目名】図５
【補正方法】変更
【補正の内容】
【図５】
2010088788.tif 000002
【手続補正８】
【補正対象書類名】図面
【補正対象項目名】図７
【補正方法】変更
【補正の内容】
【図７】
2010088788.tif 000003
【手続補正書】
【提出日】平成23年9月5日(2011.9.5)
【手続補正１】
【補正対象書類名】明細書
【補正対象項目名】０２０３
【補正方法】変更
【補正の内容】
【０２０３】
図６９に示すように、一般遊技状態用演出抽籤テーブル（ナビ有）によれば、小役・リプレイ用データポインタが「７」（赤チェリー役群）、「１３」（赤リプレイ役群）である場合には、必ず、「赤報知演出」が演出内容として決定される。また、小役・リプレイ用データポインタが「８」（青チェリー役群）、「１４」（青リプレイ役群）である場合には、必ず、「青報知演出」が演出内容として決定される。また、小役・リプレイ用データポインタが「９」（桃チェリー役群）、「１５」（桃リプレイ役群）である場合には、必ず、「桃報知演出」が演出内容として決定される。
【手続補正２】
【補正対象書類名】図面
【補正対象項目名】図６９
【補正方法】変更
【補正の内容】
【図６９】
2010088748.tif 000001
【手続補正３】
【補正対象書類名】図面
【補正対象項目名】図７０
【補正方法】変更
【補正の内容】
【図７０】
2010088748.tif 000002
【手続補正書】
【提出日】平成23年9月29日(2011.9.29)
【手続補正１】
【補正対象書類名】特許請求の範囲
【補正対象項目名】請求項１
【補正方法】変更
【補正の内容】
【請求項１】
流体が入出することにより膨縮する流体袋を備え、生体に巻き付けられる生体圧迫装置において、
前記流体袋は、生体に対向する下面と生体に対向しない上面とを有し、前記上面に補強シートを設けたことを特徴とする生体圧迫装置。
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
筒状ロールの外周面に、その軸方向と略並列状に、多数本の直線状のチャンネルブラシを着脱自在に取り付けたブラシロールにおいて、前記チャンネルブラシは、ブラシ片と、帯状体と、芯線とを備え、前記チャンネルブラシを前記ブラシ片の上面側から視た場合に、長手方向に対して、略卵型のブラシ部と、前記ブラシ片が無いカシメ部とが交互に連続して形成されてあることを特徴とするブラシロール。
【請求項２】
チャンネルブラシの帯状体は、上部から下部に亘って帯状にカシメ部が形成されてあることを特徴とする請求項１に記載のブラシロール。
【請求項３】
チャンネルブラシは、ブラシ片の先端部が、ブラシロールの回転方向に対して、前部が低く、後部が高くなるようにして傾斜面が形成されてあることを特徴とする請求項１又は２に記載のブラシロール。
【請求項４】
複数のチャンネルブラシの側面側において、各々のブラシ部に対して各々のカシメ部が互いに隣接するように配置されてあることを特徴とする請求項１〜３のいずれか１項に記載のブラシロール。
【請求項５】
並列に配置された複数のチャンネルブラシの帯状体同士を取り付け部材を介して一体的に連結させてブラシユニットとし、該ブラシユニットを筒状ロールの外周面に着脱自在に取り付けてあることを特徴とする請求項１〜４のいずれか１項に記載のブラシロール。
【手続補正２】
【補正対象書類名】明細書
【補正対象項目名】０００６
【補正方法】変更
【補正の内容】
【０００６】
請求項１の発明では、筒状ロールの外周面に、その軸方向と略並列状に、多数本の直線状のチャンネルブラシを着脱自在に取り付けたブラシロールにおいて、前記チャンネルブラシは、ブラシ片と、帯状体と、芯線とを備え、前記チャンネルブラシを前記ブラシ片の上面側から視た場合に、長手方向に対して、略卵型のブラシ部と、前記ブラシ片が無いカシメ部とが交互に連続して形成されてあることを特徴としている。したがって、カシメ部の上方にはブラシ片が存在しないので、複数のチャンネルブラシを並列に配置させた場合にブラシ部の密度を高くすることができ、被洗浄面に対して均一な洗浄を行うことができる。また、略卵型のブラシ部は、ブラシ片が長手方向に逃げることがない為、高密度のブラシ片を略卵型に形成することができる。したがって、毛腰の強いブラシ部を形成することができる。
【手続補正書】
【提出日】平成23年9月29日(2011.9.29)
【手続補正１】
【補正対象書類名】明細書
【補正対象項目名】００１０
【補正方法】変更
【補正の内容】
【００１０】
正確に変位を制御しようとすると図３のように可動部６に磁石７を配置し近傍にホール素子からなる位置センサ８を設け、その出力から現在の高分子アクチュエータ１の状態を知り、その状態をみながら印加電圧、電流を制御して位置の制御を行うという技術もある。
【手続補正２】
【補正対象書類名】明細書
【補正対象項目名】００５３
【補正方法】変更
【補正の内容】
【００５３】
図７の撮像装置３００では、ＣＰＵ１８０Ａから高分子アクチュエータドライバ回路１７０ＡにＡＦレンズを移動させる命令が発行されると、その移動量あるいは移動位置によってそれを一定電圧あるいは一定電流をある一定時間印加する動作にして実行する。
この場合、どの程度の電圧、電流をどの程度の時間印加すればどの程度曲がるかという関係が明確になっている必要があるが、高分子アクチュエータ１１０においてはその関係が複雑でモデル化できておらず制御の精度は著しくおとることになる。
換言すると、図７の撮像装置３００では、単に高分子アクチュエータを動かすために印加する電圧値あるいは電流値とその印加時間を変えて印加するだけで、その結果変位がどれくらいになったかを知る術がない。
あるいはこの印加する電圧値あるいは電流値および印加時間を指標にしようとしても同じ電圧値、電流値でも印加している時間によって変位が徐々に変わったり、印加を止めてもやはり変位が時間とともに変わったりして指標として役に立たない。
【手続補正３】
【補正対象書類名】明細書
【補正対象項目名】００６９
【補正方法】変更
【補正の内容】
【００６９】
ＡＦレンズの制御アルゴリズムはこれ以外にも、たとえば無限遠（Inf）位置からマクロ（Macro）まで全範囲をある間隔でコントラスト値をしらべその最大値のところの目標電圧値を覚えておき、最後にそこへ一気に移動させる方法もある。
ただし高分子アクチュエータでは電圧値と変位の相関はあるものの精度や再現性が高くはないため、これだけでは合焦点に行く保証はないため、移動後にその近辺でもう一度コントラスト値のピークを探す処理が必要である。
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
外部信号の第１遷移を可変に遅延させて出力する第１の可変遅延回路と、
前記外部信号の第２の遷移を可変に遅延させて出力する第２の可変遅延回路と、
前記第１の可変遅延回路の出力信号と前記第２の可変遅延回路の出力信号とを合成し、合成信号を出力する合成回路と、
前記合成回路とは独立にオフセットデータを生成するオフセット制御回路と、
前記合成信号と前記オフセットデータに従って、前記合成信号とはデューティの異なる出力信号を生成するデューティ変更検出回路と、
前記出力信号に従って、前記第１の可変遅延回路と前記第２の可変遅延回路のうち少なくとも一つの遅延を可変させる遅延制御回路と、
を備えるＤＬＬ回路。
【請求項２】
前記オフセット制御回路は、前記オフセットデータに関連するデューティ制御信号を入力し、
前記合成信号は、オフセットデータに関連するデューティを含み、
前記デューティ変更検出回路の出力信号は、前記合成信号が予め定めたデューティであるかを示す、請求項１記載のＤＬＬ回路。
【請求項３】
前記デューティ変更検出回路は、
前記合成信号を入力として受けるデューティ変更回路と、
前記デューティ変更回路の出力信号を入力として受けるデューティ検出回路、
を備えた請求項１記載のＤＬＬ回路。
【請求項４】
前記オフセット制御回路は、前記合成信号の立ち上がり波形と立ち下がり波形を制御する、請求項１記載のＤＬＬ回路。
【請求項５】
前記外部信号と前記合成回路の出力信号との位相差を検出する位相検出回路と、
前記デューティ変更検出回路の出力信号と前記位相検出回路の出力信号を受け、いずれか一方を選択出力する選択回路と、
を備え、前記選択回路の出力が前記遅延制御回路に入力される、請求項１記載のＤＬＬ回路。
【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
第１の装置および第２の装置を用いてテレビジョン番組を録画する方法であって、該第１の装置は、インターネットにアクセスすることが可能であり、該第２の装置は、該第１の装置に接続されており、該方法は、
該第１の装置によってアクセスされたインターネットサイトから受信されたウェブページ上にテレビジョン番組に関する情報を表示することと、
該ウェブページ上にリンクを表示することであって、該リンクは、該テレビジョン番組の識別子に関連付けられる、ことと、
該リンクの選択を受信することと、
該リンクの選択に応答して、該リンクに関連付けられた該テレビジョン番組の該識別子を、該第１の装置から該第２の装置に送信することと、
該第２の装置が該識別子を受信したことに応答して、該第２の装置上で該テレビジョン番組の録画をスケジュールすることと
を包含する、方法。
【請求項２】
前記ウェブページ上の記事内に前記リンクを表示することをさらに包含する、請求項１に記載の方法。
【請求項３】
前記リンクは、ハイパーテキストリンクである、請求項１に記載の方法。
【請求項４】
前記リンクは、グラフィックリンクである、請求項１に記載の方法。
【請求項５】
前記リンクの選択に応答して、インターネットサイトからテレビジョン端末にデータを送信することをさらに包含する、請求項１に記載の方法。
【請求項６】
前記送信される識別子は、テレビジョン信号の垂直消去期間において、前記テレビジョン端末に送信される、請求項１に記載の方法。
【請求項７】
テレビジョン番組を録画するシステムであって、
該システムは、
インターネットにアクセスすることが可能な第１の装置と、
該第１の装置に接続された第２の装置と
を備え、
該第１の装置は、
インターネットサイトからウェブページを受信し、表示することであって、該ウェブページは、テレビジョン番組に関する情報とリンクとを含み、該リンクは、該テレビジョン番組の該識別子に関連付けられている、ことと、
ユーザから該リンクの選択を受信することと、
該リンクの選択に応答して、該リンクに関連付けられた該テレビジョン番組の該識別子を、該第１の装置から該第２の装置に送信することと
を行うように構成されており、
該第２の装置は、
該識別子を受信したことに応答して、該テレビジョン番組の録画をスケジュールするように構成されている、システム。
【請求項８】
前記リンクは、ハイパーテキストリンクである、請求項７に記載のシステム。
【請求項９】
前記リンクは、グラフィックリンクである、請求項７に記載のシステム。
【請求項１０】
前記第２の装置は、デコーダとビデオレコーダとをさらに備え、
該デコーダは、受信された信号から前記テレビジョン番組の前記識別子を抽出し、該デコードされた識別子を該ビデオレコーダに提供するように構成されている、請求項７に記載のシステム。
【請求項１１】
前記デコーダは、垂直消去期間（ＶＢＩ）デコーダである、請求項１０に記載のシステム。
【請求項１２】
前記第２の装置は、ビデオレコーダとマイクロプロセッサとをさらに備え、該マイクロプロセッサは、前記受信された識別子を用いて前記テレビジョン番組を録画するように該ビデオレコーダを設定するように構成されている、請求項７に記載のシステム。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
負荷に対して上流側のスイッチング素子と、
上記負荷に対して下流側のスイッチング素子とを備え、
上記上流側および下流側のスイッチング素子のうちの一方のスイッチング素子がワイドバンドギャップ半導体素子であり、
上記上流側および下流側のスイッチング素子のうちの他方のスイッチング素子がシリコン半導体素子であることを特徴とするインバータ装置。
【請求項２】
請求項１に記載のインバータ装置において、
上記上流側のスイッチング素子がワイドバンドギャップ半導体素子であり、
上記下流側のスイッチング素子がＭＯＳ型のシリコン半導体素子であることを特徴とするインバータ装置。
【請求項３】
請求項２に記載のインバータ装置において、
上記ワイドバンドギャップ半導体素子であるスイッチング素子と並列接続された還流ダイオードを有し、
上記還流ダイオードがショットキーダイオードであることを特徴とするインバータ装置。
【請求項４】
請求項２または３に記載のインバータ装置において、
上記上流側のワイドバンドギャップ半導体素子によるスイッチング素子がノーマリオン型のスイッチング素子であることを特徴とするインバータ装置。
【請求項５】
請求項１に記載のインバータ装置において、
上記上流側のスイッチング素子がシリコン半導体素子あり、
上記下流側のスイッチング素子がワイドバンドギャップ半導体素子であることを特徴とするインバータ装置。
【請求項６】
請求項５に記載のインバータ装置において、
上記ワイドバンドギャップ半導体素子であるスイッチング素子と並列接続される還流ダイオードを有し、
上記還流ダイオードがショットキーダイオードであることを特徴とするインバータ装置。
【請求項７】
請求項５または６に記載のインバータ装置において、
上記下流側のワイドバンドギャップ半導体素子によるスイッチング素子がノーマリオフ型のスイッチング素子であることを特徴とするインバータ装置。
【手続補正書】
【提出日】平成23年7月15日(2011.7.15)
【手続補正１】
【補正対象書類名】特許請求の範囲
【補正対象項目名】請求項５
【補正方法】変更
【補正の内容】
【請求項５】
前記フェース部のうち、トウ側であって前記クラウン部側の領域を、ヒール側であって前記クラウン部側の領域及びトウ側であって前記ソール部側の領域よりも薄肉にしたことを特徴とする請求項３に記載のゴルフクラブヘッド。
【手続補正２】
【補正対象書類名】特許請求の範囲
【補正対象項目名】請求項６
【補正方法】変更
【補正の内容】
【請求項６】
前記フェース部のうち、ヒール側であって前記ソール部側の領域を、トウ側であって前記ソール部側の領域及びヒール側であって前記クラウン部側の領域よりも薄肉にしたことを特徴とする請求項４に記載のゴルフクラブヘッド。
【手続補正３】
【補正対象書類名】特許請求の範囲
【補正対象項目名】請求項９
【補正方法】変更
【補正の内容】
【請求項９】
前記フェース部のうち、トウ側であって前記クラウン部側の領域を、ヒール側であって前記クラウン部側の領域及びトウ側であって前記ソール部側の領域よりも薄肉にし、
前記フェース部のうち、ヒール側であって前記ソール部側の領域を、トウ側であって前記ソール部側の領域及びヒール側であって前記クラウン部側の領域よりも薄肉にしたことを特徴とする請求項８に記載のゴルフクラブヘッド。
【手続補正４】
【補正対象書類名】明細書
【補正対象項目名】００１５
【補正方法】変更
【補正の内容】
【００１５】
図２（Ａ）を参照して、ゴルフクラブヘッド１０は、フェース部１１の周縁の曲部の一部及びフェース部１１の周縁の一部の領域の厚さを薄肉とした薄肉領域Ｓ１及びＳ２を有している。薄肉領域Ｓ１及びＳ２は、本体部材１の一部であり、本体部材１を鋳造成形することで、鋳造成形により形成される。薄肉領域Ｓ１は、ゴルフクラブヘッド１０の、クラウン部１２側からトウ側のサイド部１４側に渡って形成されており、本実施形態の場合、フェースセンタＦＣを通る仮想線Ｌ２よりもトウ側に位置している。また、薄肉領域Ｓ２は、ゴルフクラブヘッド１０のソール部１３側からヒール側のサイド部１４側に渡って形成されており、本実施形態の場合、フェースセンタＦＣを通る仮想線Ｌ２よりもヒール側に位置している。
【手続補正５】
【補正対象書類名】明細書
【補正対象項目名】００１６
【補正方法】変更
【補正の内容】
【００１６】
ここで、フェースセンタＦＣについて図２（Ａ）及び（Ｂ）を参照して説明する。図２（Ａ）において、角度θ１はライ角であり、ホゼル部１５に取り付けられるシャフトの軸線Ｌ１と、接地面とがなす角度である。図２（Ｂ）において、角度θ２はロフト角であり、フェース部１１と、接地面とがなす角度である。図２（Ａ）において、線Ｌ２はゴルフクラブヘッド１０を、その規定ライ角、規定ロフト角で接地面に接地させたときに、図２（Ａ）に示すように接地部分のトウーヒール方向の中心線を通る線である。この線Ｌ２と交わるフェース部１１の上端、下端をそれぞれ位置Ｐ１、Ｐ２とし、位置Ｐ１、Ｐ２間の高低差Ｈの１／２の位置をフェースセンタＦＣとする。
【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
楽曲データを再生し、プレーヤの入力を評価する処理を行うプログラムであって、
前記楽曲データに合わせて、評価対象の基準タイミングと非評価対象の基準タイミングとを記憶する記憶部と、
評価対象の基準タイミングとプレーヤの入力タイミングとを比較して、プレーヤの入力を評価する評価部と、
所与の評価対象の基準タイミングとプレーヤの入力タイミングとを比較したプレーヤの入力評価結果に基づいて、非評価対象の基準タイミングを、非評価対象から評価対象に切り替える切り替え処理部として、コンピュータを機能させることを特徴とするプログラム。
【請求項２】
請求項１において、
前記切り替え処理部が、
所定期間内の非評価対象の基準タイミングを、非評価対象から評価対象に切り替えることを特徴とするプログラム。
【請求項３】
請求項１又は２において、
前記切り替え処理部が、
前記プレーヤの入力評価結果に応じて予め決められた非評価対象の基準タイミングを、非評価対象から評価対象に切り替えることを特徴とするプログラム。
【請求項４】
請求項１〜３のいずれかにおいて、
前記評価対象の基準タイミングを指示する指示マークを、所定位置に向かって移動経路上で移動させる移動表示制御を行う表示制御部として、コンピュータを更に機能させ、
前記表示制御部が、
非評価対象から評価対象に切り替えられた基準タイミングを指示する指示マークを、前記所定位置周囲の位置から、前記所定位置を中心に放射状に移動させる移動表示制御を行い、その後、移動経路上で移動させる移動表示制御を行うことを特徴とするプログラム。
【請求項５】
請求項１〜４のいずれかにおいて、
前記評価対象の基準タイミングを指示する指示マークを、所定位置に向かって移動経路上で移動させる移動表示制御を行う表示制御部として、コンピュータを更に機能させ、
前記表示制御部が、
非評価対象から評価対象に切り替えられた基準タイミングを指示する指示マークを、前記所定位置周囲の位置から、当該指示マークに対応する移動経路上の配置位置に向かって移動させる移動表示制御を行い、その後、移動経路上で移動させる移動表示制御を行うことを特徴とするプログラム。
【請求項６】
コンピュータ読み取り可能な情報記憶媒体であって、請求項１〜５のいずれかのプログラムを記憶したことを特徴とする情報記憶媒体。
【請求項７】
楽曲データを再生し、プレーヤの入力を評価する処理を行うゲームシステムであって、
前記楽曲データに合わせて、評価対象の基準タイミングと非評価対象の基準タイミングとを記憶する記憶部と、
評価対象の基準タイミングとプレーヤの入力タイミングとを比較して、プレーヤの入力を評価する評価部と、
所与の評価対象の基準タイミングとプレーヤの入力タイミングとを比較したプレーヤの入力評価結果に基づいて、非評価対象の基準タイミングを、非評価対象から評価対象に切り替える切り替え処理部とを含むことを特徴とするゲームシステム。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
コンピュータを、
プレイヤキャラクタおよびノンプレイヤキャラクタが活動する１又は複数のゲームステージを有するゲーム空間を生成するゲーム空間制御手段、
前記ゲーム空間内に、遊戯者によって操作されるプレイヤキャラクタを生成し、遊戯者の操作に応じて、該プレイヤキャラクタの前記ゲーム空間内における活動を制御するプレイヤキャラクタ制御手段、
前記ゲーム空間内の各ゲームステージにノンプレイヤキャラクタを生成し、該ノンプレイヤキャラクタの前記ゲームステージ内における行動を制御するノンプレイヤキャラクタ制御手段、
として機能させるゲームプログラムであって、
前記ノンプレイヤキャラクタ制御手段は、
プレイヤキャラクタがノンプレイヤキャラクタに対して攻撃を仕掛けてくる可能性を示すパラメータである気配値を、プレイヤキャラクタに関する情報に基づいて算出し、
前記ノンプレイヤキャラクタがプレイヤキャラクタを発見していない通常状態、
前記ノンプレイヤキャラクタがプレイヤキャラクタを発見しているが、前記気配値が所定値よりも低く、プレイヤキャラクタを攻撃しない警戒状態、
前記ノンプレイヤキャラクタがプレイヤキャラクタを発見しており、前記気配値が前記所定値よりも高く、プレイヤキャラクタを攻撃する戦闘状態、
のいずれかの状態を択一的にノンプレイヤキャラクタに設定するノンプレイヤキャラクタ状態制御手段
を含むことを特徴とするゲームプログラム。
【請求項２】
前記ノンプレイヤキャラクタ制御手段は、
前記ノンプレイヤキャラクタとプレイヤキャラクタとの距離、プレイヤキャラクタの行動の一方または両方に基づいて前記気配値を算出することを特徴とする請求項１に記載のゲームプログラム。
【請求項３】
前記ノンプレイヤキャラクタ制御手段は、
前記ノンプレイヤキャラクタとプレイヤキャラクタとの距離が近いときは、前記ノンプレイヤキャラクタとプレイヤキャラクタとの距離が遠いときよりも前記気配値の上げ方を大きくすることを特徴とする請求項２に記載のゲームプログラム。
【請求項４】
前記ノンプレイヤキャラクタ制御手段は、
前記プレイヤキャラクタが立ち上がった状態で行動しているときは、前記プレイヤキャラクタがしゃがんだ状態で行動しているときよりも前記気配値の上げ方を大きくすることを特徴とする請求項２または請求項３のいずれかに記載のゲームプログラム。
【請求項５】
前記ノンプレイヤキャラクタ状態制御手段は、
前記ノンプレイヤキャラクタが警戒状態のとき、プレイヤキャラクタを見失って第１所定時間継続すると、通常状態に移行させ、
前記ノンプレイヤキャラクタが戦闘状態のとき、プレイヤキャラクタを見失って第２所定時間継続すると、警戒状態又は通常状態に移行させることを特徴とする請求項１乃至請求項４のいずれかに記載のゲームプログラム。
【請求項６】
請求項１乃至請求項５のいずれかに記載のゲームプログラムを読み込んで実行するコンピュータ装置。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
請求項６の発明は、請求項１乃至請求項５のいずれかに記載のゲームプログラムを読み込んで実行するコンピュータ装置である。
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
打球発射装置によって発射されて遊技領域の所定領域を流下する遊技球が検出スイッチにより検出されたことに基づいて遊技を進行するパチンコ機であって、
電気的駆動源と、
磁気を検出する磁気検出スイッチと、
所定の処理を実行する制御手段と、
を備え、
前記制御手段は、
前記電気的駆動源のコイルに予め定めた周波数の電流を通電する通電制御手段
を含み、
前記磁気検出スイッチは、磁石の接近による不正行為が行われているときには該磁石が発する磁気を検出してＯＮ信号を出力する一方、前記通電制御手段により前記電気的駆動源のコイルに前記予め定めた周波数の電流が通電されているときには該コイルが通電されることにより発する磁気を検出して当該予め定めた周波数でＯＮ／ＯＦＦ信号を出力し、
前記制御手段は、前記磁気検出スイッチからの前記ＯＮ信号と前記ＯＮ／ＯＦＦ信号のいずれであるかを判別し、前記ＯＮ信号であると判別したときに異常信号を出力することを特徴とするパチンコ機。
【請求項２】
請求項１に記載のパチンコ機であって、
前記制御手段は、さらに、
前記予め定めた周波数以上の周波数成分を減衰させるローパスフィルタ制御手段
を含み、
前記制御手段は、前記ローパスフィルタ制御手段が前記磁気検出スイッチからの前記ＯＮ／ＯＦＦ信号を減衰させて無効化した信号に基づいて、当該磁気検出スイッチからの前記ＯＮ信号と前記ＯＮ／ＯＦＦ信号のいずれであるかを判別し、前記ＯＮ信号であると判別したときに異常信号を出力することを特徴とするパチンコ機。
【手続補正２】
【補正対象書類名】明細書
【補正対象項目名】００１６
【補正方法】変更
【補正の内容】
【００１６】
本発明の請求項１においては、磁石ゴトによる不正行為を確実に検出することができる。請求項２においては、制御手段は、ローパスフィルタ制御手段を介して、磁気検出スイッチからのＯＮ信号と、磁気検出スイッチからのＯＮ／ＯＦＦ信号と、を判別することができる。
【手続補正書】
【提出日】平成23年9月15日(2011.9.15)
【手続補正１】
【補正対象書類名】明細書
【補正対象項目名】００３６
【補正方法】変更
【補正の内容】
【００３６】
視認開口部２ｃは、装着凹部８１のドラグ操作部材２の揺動中心を中心とした円弧の半径と同径となる位置を中心とした円形の貫通孔であって、ピン部材７０の円形の外形と略同一となる貫通孔である。装飾開口部２ｄは、外観意匠を向上させるための装飾用の凹部であって、視認開口部２ｃの下部に形成された視認開口部２ｃよりやや大径となる円形の貫通孔である。
【手続補正２】
【補正対象書類名】図面
【補正対象項目名】図８
【補正方法】変更
【補正の内容】
【図８】
2010088327.tif 000001
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
高血圧発症に関する一塩基多型（ＳＮＰ）マーカーの使用方法であって、
前記高血圧発症に関するＳＮＰマーカーは、ＲＧＳ２遺伝子におけるＡ／Ｇ多型ＳＮＰ（ｒｓ番号：ｒｓ３７６７４８９）、ＡＤＤ１遺伝子におけるＣ／Ａ多型ＳＮＰ（ｒｓ番号：ｒｓ４９６１）、ＣＡＣＮＡ２Ｄ２遺伝子におけるＡ／Ｇ多型ＳＮＰ（ｒｓ番号：ｒｓ２２３６９５７）、及び、ＣＡＴ遺伝子におけるＣ／Ｔ多型ＳＮＰ（ｒｓ番号：ｒｓ７６９２１４）からなる群から選択される少なくとも２つのＳＮＰｓからなり、
被検試料を準備する準備工程と、前記被検試料について前記少なくとも２つのＳＮＰｓをタイピングするタイピング工程と、前記タイピング工程の結果に基づき高血圧発症のリスクを判定する判定工程とを含み、
前記判定工程における判定が、前記ＲＧＳ２遺伝子のＳＮＰのリスク多型をＡＡ型、前記ＡＤＤ１遺伝子のＳＮＰのリスク多型をＡＡ型、前記ＣＡＣＮＡ２Ｄ２遺伝子のＳＮＰのリスク多型をＡＡ型、及び、前記ＣＡＴ遺伝子のＳＮＰのリスク多型をＴＴ型及びＴＣ型とし、前記リスク多型の数が増加するほど高血圧発症のリスクが増加すると判定することを含む、高血圧発症に関するＳＮＰマーカーの使用方法。
【請求項２】
請求項１記載の高血圧発症に関するＳＮＰマーカーの使用方法に使用するＳＮＰマーカーであって、ＲＧＳ２遺伝子におけるＡ／Ｇ多型ＳＮＰ（ｒｓ番号：ｒｓ３７６７４８９）、ＡＤＤ１遺伝子におけるＣ／Ａ多型ＳＮＰ（ｒｓ番号：ｒｓ４９６１）、ＣＡＣＮＡ２Ｄ２遺伝子におけるＡ／Ｇ多型ＳＮＰ（ｒｓ番号：ｒｓ２２３６９５７）、及び、ＣＡＴ遺伝子におけるＣ／Ｔ多型ＳＮＰ（ｒｓ番号：ｒｓ７６９２１４）からなる群から選択される少なくとも２つからなるＳＮＰマーカー。
【請求項３】
高血圧の発症リスクを検査するキットであって、ＲＧＳ２遺伝子におけるＡ／Ｇ多型ＳＮＰ（ｒｓ番号：ｒｓ３７６７４８９）、ＡＤＤ１遺伝子におけるＣ／Ａ多型ＳＮＰ（ｒｓ番号：ｒｓ４９６１）、ＣＡＣＮＡ２Ｄ２遺伝子におけるＡ／Ｇ多型ＳＮＰ（ｒｓ番号：ｒｓ２２３６９５７）、及び、ＣＡＴ遺伝子におけるＣ／Ｔ多型ＳＮＰ（ｒｓ番号：ｒｓ７６９２１４）からなる群から選択される少なくとも２つからなる高血圧発症に関するＳＮＰマーカーのＳＮＰｓをタイピングするためのポリヌクレオチド、プライマー、プローブ、及びＤＮＡマイクロアレイの少なくとも１つを含む、高血圧発症リスク検査キット。
【請求項４】
さらに、説明書を含み、前記説明書には、前記ＲＧＳ２遺伝子のＳＮＰ（ｒｓ番号：ｒｓ３７６７４８９）のリスク多型をＡＡ型、前記ＡＤＤ１遺伝子のＳＮＰ（ｒｓ番号：ｒｓ４９６１）のリスク多型をＡＡ型、前記ＣＡＣＮＡ２Ｄ２遺伝子のＳＮＰ（ｒｓ番号：ｒｓ２２３６９５７）のリスク多型をＡＡ型、及び、前記ＣＡＴ遺伝子のＳＮＰ（ｒｓ番号：ｒｓ７６９２１４）のリスク多型をＴＴ型及びＴＣ型とし、リスク多型の保有数の増加にともない高血圧発症のリスクが高まることが記載される、請求項３記載の高血圧発症リスク検査キット。
【請求項５】
高血圧発症に関する一塩基多型（ＳＮＰ）マーカーの使用方法であって、
前記高血圧発症に関するＳＮＰマーカーは、ＲＧＳ２遺伝子におけるＡ／Ｇ多型ＳＮＰ（ｒｓ番号：ｒｓ３７６７４８９）と連鎖不均衡を示すＳＮＰ、ＡＤＤ１遺伝子におけるＣ／Ａ多型ＳＮＰ（ｒｓ番号：ｒｓ４９６１）と連鎖不均衡を示すＳＮＰ、ＣＡＣＮＡ２Ｄ２遺伝子におけるＡ／Ｇ多型ＳＮＰ（ｒｓ番号：ｒｓ２２３６９５７）と連鎖不均衡を示すＳＮＰ、及び、ＣＡＴ遺伝子におけるＣ／Ｔ多型ＳＮＰ（ｒｓ番号：ｒｓ７６９２１４）と連鎖不均衡を示すＳＮＰからなる群から選択される少なくとも２つのＳＮＰｓからなり、
被検試料を準備する準備工程と、前記被検試料について前記少なくとも２つのＳＮＰｓをタイピングするタイピング工程と、前記タイピング工程の結果に基づき高血圧発症のリスクを判定する判定工程とを含み、
前記判定工程における判定が、前記ＲＧＳ２遺伝子のＳＮＰのリスク多型をＡＡ型、前記ＡＤＤ１遺伝子のＳＮＰのリスク多型をＡＡ型、前記ＣＡＣＮＡ２Ｄ２遺伝子のＳＮＰのリスク多型をＡＡ型、及び、前記ＣＡＴ遺伝子のＳＮＰのリスク多型をＴＴ型及びＴＣ型とし、前記リスク多型と連鎖する多型の数が増加するほど高血圧発症のリスクが増加すると判定することを含む、高血圧発症に関するＳＮＰマーカーの使用方法。
【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
排出口から供給される穀類の排出流路を切り換える排出流路切換装置であって、前記排出口から排出される穀類を受け入れる流入路と、この流入路から分岐する複数の排出流路と、この排出流路の何れか一の排出流路へと前記穀類を案内する流路切換手段と、この流路切換手段の下部に位置して前記各搬出流路が相互に連通するオーバーフロー流路とを備え、前記一方の排出流路内に前記穀類が滞留した際、溢れた穀類がオーバーフロー流路から他方の排出流路へと導入するように構成したことを特徴とする排出流路切換装置。
【請求項２】
前記流路切換手段を前記流入路に対して水平方向にスライド自在に取り付けたシャッターで構成し、このシャッターのスライド操作に連動して各排出流路の何れか１つに連通する開口部を設けたことを特徴とする請求項１に記載の排出流路切換装置。
【請求項３】
前記排出口に前記流入路を構成する収容体を取り付け、この収容体の下部に前記排出流路を有する複数の分岐管を連設するとともに、この各分岐管の先端側に長さ調整可能な排出調節部材を設けたことを特徴とする請求項１又は２記載の排出流路切換装置。
【請求項４】
前記排出調節部材を、その排出調節部材内に流通する穀類が目視可能な透明材料で形成したことを特徴とする請求項３記載の排出流路切換装置。
【請求項５】
前記シャッターを緩やかな逆Ｖ字状に屈曲し、そのほぼ変曲点を中心として前記開口部を形成し、前記開口部と何れか１つの排出流路とを連通させた際、シャッターの重心を傾けて、前記シャッターの前記開口部が何れか１つの排出流路へと向かう付勢力を付与したことを特徴とする請求項２記載の排出流路切換装置。
【手続補正２】
【補正対象書類名】明細書
【補正対象項目名】０００８
【補正方法】変更
【補正の内容】
【０００８】
請求項２記載の排出流路切換装置は、前記流路切換手段を前記流入路に対して水平方向にスライド自在に取り付けたシャッターで構成し、このシャッターのスライド操作に連動して各排出流路の何れか１つに連通する開口部を設けたことを特徴とする。
【手続補正３】
【補正対象書類名】明細書
【補正対象項目名】０００９
【補正方法】変更
【補正の内容】
【０００９】
請求項３記載の排出流路切換装置は、前記排出口に前記流入路を構成する収容体を取り付け、この収容体の下部に前記排出流路を有する複数の分岐管を連設するとともに、この各分岐管の先端側に長さ調整可能な排出調節部材を設けたことを特徴とする。
【手続補正４】
【補正対象書類名】明細書
【補正対象項目名】００１０
【補正方法】変更
【補正の内容】
【００１０】
請求項４記載の排出流路切換装置は、前記排出調節部材を、その排出調節部材内に流通する穀類が目視可能な透明材料で形成したことを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００２１
【補正方法】変更
【補正の内容】
【００２１】
２０は前記各分岐管１５ａ，１５ｂの先端側に取り付けた長さ調整可能な調節排出部材たる調節排出管であり、本実施例では、可撓性を有する透明ビニールで成形され、調節排出管２０内を通過する屑米ａが外部から確認できる。この調節排出管２０を穀物袋４０ａ、４０ｂに挿入し、選別機１から排出される屑米ａを何れか一方の各分岐１５ａ，１５ｂから穀物袋４０ａ又は４０ｂに充填する。なお、調節排出管２０は可撓性を有する透明ビニール素材であるから、調節排出管２０の先端を折り返すことによって調節排出管２０の長さを調整することが可能である。
【手続補正７】
【補正対象書類名】明細書
【補正対象項目名】００２６
【補正方法】変更
【補正の内容】
【００２６】
図６及び図７は本発明の実施例２を示し、前記実施例１と同一機能を有する部分には、同一符号を付し、共通する部分の説明を省略し、異なる部分についてのみ説明する。本実施例では切換装置１０に屑米ａを案内する左右一対の傾斜案内板５１を設け、この傾斜案内板５１の下部に回動自在に軸支されたシャッター５２を配置している。このシャッター５２を軸支する軸５３は切換装置１０の外部に突出し、その先端部にシャッター５２を操作するレバー５４を固定している。また、シャッター５２の下部には、分岐管５５ａ，５５ｂの排出流路５６ａ，５６ｂと、その排出流路５６ａ，５６ｂが相互に連通するオーバーフロー流路５７が形成されている。
【手続補正８】
【補正対象書類名】明細書
【補正対象項目名】００３２
【補正方法】変更
【補正の内容】
【００３２】
１  選別機
２  排出口
１０  切換装置
１１  収容体
１２  流入路
１５ａ，１５ｂ，５５ａ，５５ｂ  分岐管
１６ａ，１６ｂ，５６ａ，５６ｂ  排出流路
１７，５２  シャッター（流路切換手段）
１８  開口部
２０  調節排出管（調節排出部材）
２５，５７  オーバーフロー流路
４０ａ、４０ｂ  穀物袋
６０  調節排出カバー（調節排出部材）
ａ  屑米
【手続補正９】
【補正対象書類名】図面
【補正対象項目名】図３
【補正方法】変更
【補正の内容】
【図３】
2010088400.tif 000001